(57)【要約】  本発明の実施の形態は、一種の末端標識の使用方法、システム和設備を公開し、当該方法が次の要素、即ち、ネットワーク側で搬送波集合化の末端に対して、搬送波集合化の区間で統一的なRNTI配置を行うことと、前記ネットワーク側と前記末端が前記搬送波集合化の区間で前記統一に配置されたRNTIを使用してデータ送受信を行うことを含み、本発明を通じて、搬送波集合化技術を採用する末端でRNTIを通じて各区間とデータの送受信を行うことを実現した。【選択図】図２
2013502114.tif 000002
【特許請求の範囲】
【請求項１】
ネットワーク側が搬送波集合化末端の搬送波集合化区間に対して統一的な無線ネットワーク臨時標識RNTI配置を行うことと、
前記ネットワーク側と前記末端が前記搬送波集合化の区間で統一に配置された前記RNTIを使用してデータ送受信を行うことを含むことを特徴とする一種の末端標識の使用方法。
【請求項２】
前記実施された統一的なRNTI配置が前記搬送波集合化の区間のRNTI資源共有を含むことを特徴とする請求項1記載の方法。
【請求項３】
搬送波集合化末端に統一的なRNTI配置を行う前記ネットワーク側が、
前記ネットワーク側が搬送波集合化区間で前記末端に統一にC-RNTI、及び/又はSPS C-RNTI、及び/又はTPC-PUSCH-RNTI、及び/又はTPC-PUCCH-RNTIを配置することを含むことを特徴とする請求項1記載の方法。
【請求項４】
前記ネットワーク側が搬送波集合化区間で前記末端に統一にC-RNTIを配置し、この中で、前記ネットワーク側が異なる搬送波集合化区間で末端に同じC-RNTIを配置し配置されたC-RNTIがネットワーク側によりすでに配置されたRNTIと異なることを含み、
前記ネットワーク側が搬送波集合化区間で前記末端に統一にSPS C-RNTIを配置し、この中で、前記ネットワーク側が異なる搬送波集合化区間で末端に同じSPS C-RNTIを配置し、配置されたSPS C-RNTIがネットワーク側によりすでに配置されたRNTIと異なることを含むことを特徴とする請求項3記載の方法。
【請求項５】
前記ネットワーク側が搬送波集合化区間で前記末端に統一にTPC-PUSCH-RNTIを配置し、この内に、前記ネットワーク側が異なる搬送波集合化区間で前記末端に同じ又は異なるTPC-PUSCH-RNTIを配置し、配置されたTPC-PUSCH-RNTIがネットワーク側によりすでに配置されたRNTIと異なり、
前記ネットワーク側が搬送波集合化区間で前記末端に統一にTPC-PUCCH-RNTIを配置し、この内に、前記ネットワーク側が異なる搬送波集合化区間で前記末端に同じ又は異なるTPC-PUCCH-RNTIを配置し、配置されたTPC-PUCCH-RNTIがネットワーク側ですでに配置されたRNTIと異なることを含むことを特徴とする請求項3記載の方法。
【請求項６】
前記ネットワーク側が前記末端に搬送波集合化の区間で前記統一にに配置されたRNTIを使用してデータ送受信を行い、前記ネットワーク側が異なる搬送波集合化区間で同じC-RNTI及び/又はSPS C-RNTIを使用して前記末端とデータ送受信を行うことを含むことを特徴とする請求項1記載の方法。
【請求項７】
前記ネットワーク側と前記末端が搬送波集合化区間で前記統一に配置されたRNTIを使用してデータ送受信を行い、前記ネットワーク側がすべての搬送波集合化の区間で配置されたTPC-PUSCH-RNTI和TPC-PUCCH-RNTIを使用して前記末端に工率制御情報を発送することを含むことを特徴とする請求項1記載の方法。
【請求項８】
前記ネットワーク側が搬送波集合化を配置する時に前記末端に新しいC-RNTI及び/又はSPS C-RNTIを配置せず、及び/又は、ネットワーク側が搬送波集合化を配置・活性化する時に、前記末端に新しいC-RNTI及び/又はSPS C-RNTIを配置せず、
前記ネットワーク側と前記末端が前記搬送波集合化区間で統一に配置されたRNTIを使用してデータ送受信を行い、具体的に、前記末端と前記ネットワーク側がすでに配置されたC-RNTI及び/又はSPS C-RNTIを使用してすべての搬送波集合化区間で送信及び/又は受信を行うことを特徴とする請求項1記載の方法。
【請求項９】
前記ネットワーク側と前記末端が前記搬送波集合化区間で統一に配置されたRNTIを使用して送受信を行い、
前記末端が前記搬送波集合化区間でPDCCHのある搬送波にPDCCHを傍受し、同じC-RNTI及び/又はSPS C-RNTIを使用して調達情報を受信することを含むことを特徴とする請求項1記載の方法。
【請求項１０】
前記ネットワーク側と前記末端が前記搬送波集合化区間で統一に配置されたRNTIを使用して送受信を行い、
前記末端が前記搬送波集合化区間でPDCCHのある搬送波にPDCCHを傍受し、配置されたTPC-PUSCH-RNTI及び/又はTPC-PUCCH-RNTIを使用して伝送工率制御情報を受信することを含むことを特徴とする請求項1記載の方法。
【請求項１１】
前記末端がネットワーク側初期ノードからネットワーク側目標ノードへ転換する時、ネットワーク側が搬送波集合化末端に搬送波集合化区間で統一にRNTIを配置し、前記ネットワーク側目標ノードが前記ネットワーク側初期ノードに転換請求呼応メッセージを送信し、この中で、ネットワーク側目標ノードにより前記末端に配置された前記RNTI及びその他の区間における前記搬送波集合化の周波数ポイント情報又は周波数ポイント情報索引を含み、
前記ネットワーク側初期ノードが前記末端に転換命令メッセージを送信し、この中で、ネットワーク側目標ノードにより前記末端に配置された前記RNTI及びその他の区間における前記搬送波集合化の周波数ポイント情報又は周波数ポイント情報索引を含むことを特徴とする請求項1記載の方法。
【請求項１２】
前記ネットワーク側目標ノードにより前記末端に配置された前記RNTIが、
前記ネットワーク側目標ノードにより前記末端に配置された唯一のC-RNTI及び/又はSPS C-RNTIを含むことを特徴とする請求項11記載の方法。
【請求項１３】
搬送波集合化の末端に搬送波集合化区間で統一的なRNTI配置を行い、前記末端と、前記搬送波集合化区間で統一に配置された前記RNTIを使用してデータ送受信を行う為のネットワーク側と、
前記ネットワーク側により前記末端に統一に配置されたRNTIを受信し、前記ネットワーク側と、前記搬送波集合化区間で前記統一に配置されたRNTIを使用してデータ送受信を行う為の末端を含むことを特徴とする一種の末端標識の使用システム。
【請求項１４】
搬送波集合化末端に搬送波集合化区間で統一にRNTIを配置する為の配置モジュールと、
前記末端と一緒に、前記搬送波集合化区間で前記配置モジュールにより統一に配置された前記RNTIを使用してデータ送受信を行う為の送受信モジュール含むことを特徴とするネットワーク側設備。
【請求項１５】
統一に実施された前記RNTI配置は前記搬送波集合化区間の間にRNTI資源を共有することを含むことを特徴とする請求項14記載のネットワーク側設備。
【請求項１６】
前記配置モジュールが具体的に、
搬送波集合化区間で前記末端に統一にC-RNTI、及び/又はSPS C-RNTI、及び/又はTPC-PUSCH-RNTI、及び/又はTPC-PUCCH-RNTIを配置することに使用されることを特徴とする請求項14記載のネットワーク側設備。
【請求項１７】
前記配置モジュールがC-RNTIを配置する時、異なる搬送波集合化区間で末端に同じC-RNTIを配置し、配置されたC-RNTIがネットワーク側によりすでに配置されたRNTIと異なり、
前記配置モジュールがSPS C-RNTIを配置する時、異なる搬送波集合化区間中で末端に同じSPS C-RNTIを配置し、配置された前記SPS C-RNTIがネットワーク側によりすでにを配置されたRNTIと異なることを特徴とする請求項16記載のネットワーク側設備。
【請求項１８】
前記配置モジュールがTPC-PUSCH-RNTIを配置する時、異なる搬送波集合化区間で前記末端に同じ又は異なるTPC-PUSCH-RNTIを配置し、前記配置されたTPC-PUSCH-RNTIがネットワーク側によりすでに配置されたRNTIと異なり、
前記配置モジュールがTPC-PUCCH-RNTIを配置する時、異なる搬送波集合化区間で前記末端に同じ又は異なるTPC-PUCCH-RNTIを配置し、配置された前記TPC-PUCCH -RNTIがネットワーク側によりすでに配置されたRNTIと異なることを特徴とする請求項16記載のネットワーク側設備。
【請求項１９】
前記送受信モジュールが具体的に、
異なる前記搬送波集合化区間で同じC-RNTI及び/又はSPS C-RNTIを使用して前記末端との間にデータ送受信を行うことに使用されることを特徴とする請求項14記載のネットワーク側設備。
【請求項２０】
前記送受信モジュールが具体的に、
すべての前記搬送波集合化区間で配置されたTPC-PUSCH-RNTIとTPC-PUCCH-RNTIを使用して前記末端に工率制御情報を発送することに使用されることを特徴とする請求項14記載のネットワーク側設備。
【請求項２１】
搬送波集合化を配置する時に前記配置モジュールが前記末端に新しいC-RNTI及び/又はSPS C-RNTIを配置せず、及び/又は、搬送波集合化を配置・活性化する時に、前記配置モジュールが前記末端に新しいC-RNTI及び/又はSPS C-RNTIを配置せず、
前記送受信モジュールが具体的に、前記末端がすでに配置されたC-RNTI及び/又はSPS C-RNTIを使用してすべての前記搬送波集合化区間でデータ発送及び/又は引受を行うことに使用されることを特徴とする請求項14記載のネットワーク側設備。
【請求項２２】
前記末端がネットワーク側初期ノードからネットワーク側目標ノードに切替しする時、前記ネットワーク側設備が目標ノードであれば、前記ネットワーク側設備がまたネットワーク側初期ノードに発送された転換請求呼応メッセージにも使用され、この中でネットワーク側目標ノードにより前記末端に配置された前記RNTIと搬送波集合化を実行するその他の区間の周波数ポイント情報又は周波数ポイント情報索引を含み、
前記ネットワーク側設備が初期ノードであれば、前記ネットワーク側設備も、前記末端に転換命令メッセージを発送することに使用され、その中で、ネットワーク側目標ノードにより前記末端に配置されたRNTI及び搬送波集合化を実行するその他の区間の周波数ポイント情報又は周波数ポイント情報索引を含むことを特徴とする請求項14記載のネットワーク側設備。
【請求項２３】
前記配置モジュールが具体的に、前記末端に唯一のC-RNTI及び/又はSPS C-RNTIを配置することに使用されることを特徴とする請求項22記載のネットワーク側設備。
【請求項２４】
送受信モジュール、前記ネットワーク側より前記末端統一に配置されたRNTIを受信し；前記ネットワーク側が前記搬送波集合化区間で統一に配置された前記RNTIを利用してデータ送受信を行うことを含むことを特徴とする一種の末端。
【請求項２５】
前記送受信モジュールが具体的に、
前記搬送波集合化区間でPDCCHのある搬送波にPDCCHを傍受し、同じC-RNTI及び/又は前記SPS C-RNTIを使用して調達情報を受信することに使用されることを特徴とする請求項24記載の末端。
【請求項２６】
前記送受信モジュールが具体的に、
前記搬送波集合化区間でPDCCHのある搬送波にPDCCHを傍受し、配置されたTPC-PUSCH-RNTI及び/又はTPC-PUCCH-RNTIを使用して伝送工率制御情報を受信することに使用されることを特徴とする請求項24記載の末端。
【発明の詳細な説明】
【技術分野】
【０００１】
本特許出願は、下記の中国特許出願優先権を要求する。
2009年8月14日中国特許局まで提出され、出願番号が200910091263.7で、発明名称が「一種の末端標識の使用方法、システムと設備」である中国特許出願について、その全部内容が引用を通じて本出願に結合されている。
【０００２】
本発明は無線通信技術分野に関するものであり、特に、一種の末端標識の使用方法、システムと設備に関する。
【背景技術】
【０００３】
LTEシステムの中で、上下りリンクの資源調達情報（例えば、MCS（Modulation and Coding Scheme、変調コーディング方案）の相応なPRB（Physical Resource Block、物理資源ブロック）情報等）が全部PDCCH（Physical Downlink Control Channel、物理下り制御チャネル）で発送されるので、PDCCHの上にこれらの調達情報が呼び出し情報か、システム情報か、又はPDSCH（Physical Downlink Shared Channel，物理下り共有チャネル）か、又は末端データに関連するPUSCH上の調達情報であるか区分する必要があり、図1。当面、異なる調達情報に異なるRNTI（Radio Network Temporary Identity、無線ネットワーク臨時標識）を配置する方式で指示して、末端による無作為な接続、区間転換、正常データ送受信及び搬送波集合化等プロセス中に含む。その中で、eNB（(Evolved Node-B、進化タイプ基地局）間の区間転換がX2又はS1インターフェイス上の信号伝達を通じて交互作用を行い、ソース区間が目標区間に転換請求メッセージを発送し、目標区間がソース区間に転換請求呼応メッセージ（転換請求呼応メッセージに、ソース区間により末端に発送された転換命令が含まれる）を返還し、それに、ソース区間が末端に転換命令を発送し、末端が転換命令によって配置を行い、配置完成後、目標区間に転換完成メッセージを発送するというプロセスがある。ソース区間により末端に発送された転換命令が移動性制御情報を含むRRC（Radio Resource Control、無線資源制御協議）接続重配置メッセージである。末端により目標区間に発送された転換完成メッセージがRRC接続重配置完成メッセージである。LTEシステムの中で、末端が同じeNBの下の区間内に移動する場合、また区間間転換が必要である。上述eNB間の区間転換と異なるのがソース区間と目標区間がX2又はS1インターフェイスでの信号伝達交互作用を実行する必要がなく、その他のプロセスが上述プロセスと類似して、即ち、ソース区間が末端に転換命令を発送し、それに末端が転換命令によって配置し、配置完成後目標区間に転換完成メッセージを発送する。
【０００４】
一般的に言うと、末端が受信する時に、まずPDCCHに受信する必要のあるRNTIが存在しているか検知し、存在している場合、相応なDCI（Downlink Control Information、下りリンク制御情報）の指示によって相応なデータ内容を引き受ける。P-RNTI（Paging RNTI、呼び出しRNTI）が呼び出し情報に対応し、SI-RNTI（System Information RNTI、システム情報RNTI）がシステム情報と対応し、C-RNTI（Cell Radio Network Temporary Identifier、区間無線ネットワーク臨時標識）がPDSCHとPUSCH上の末端情報と対応し、SPS C-RNTI（Semi-Persistent Scheduling C-RNTI、セミ持続的な調達C-RNTI）が末端のセミ持続的な調達情報と対応し、TPC-PUSCH-RNTI（Transmission Power Control PUSCH RNTI、伝送工率制御PUSCH-RNTI）とTPC-PUCCH-RNTIがPUCCHとPUSCH上の工率制御情報と対応する。但し、Temporary C-RNTIは、末端にC-RNTIがない場合に、ネットワークにより末端に配置された一つの臨時末端身分標識に過ぎない。末端が無作為な接続を通じて接続状態に入った後、末端がネットワークにより配置されたTemporary C-RNTIを自分のC-RNTIと設定する。RA-RNTIがその他のものと違って、その他ののものがユーザ身分標識に使用されるが、RA-RNTIがユーザの無作為な接続プロセス中preamble発送時に使用される資源ブロックの標識に使用される。その中で、上述RNTIの内に、単一の末端と対応するRNTIがC-RNTIとSPS C-RNTIを含み、この内、C-RNTIが区間にRRC接続状態に処する唯一の末端の標識に使用される。末端がPDCCH上にこれと対応するC-RNTIを検知する場合、末端がC-RNTIと対応するDCIで指示・関連された資源位置にデータを引き受ける又は発送する。SPS C-RNTIの用法がC-RNTIと同じであるが、ただsemi-persistent schedulingという調達方式を使用する末端にSPS C-RNTIが配置されることに過ぎない。
【発明の概要】
【発明が解決しようとする課題】
【０００５】
発明者は、本発明の実現プロセスで、現有技術に少なくとも下記の問題が存在することを見つけた。
【０００６】
LTEシステムで、末端が同じ時刻で一つだけの区間とデータ引受又は発送を行う。各区間が当該区間の末端にRNTIを配置し、例えば、C-RNTIとSPS C-RNTI等。末端がPDCCH上のRNTIを検知することによってネットワーク側の調達情報を受信する。LTE-Aシステムで、複数の搬送波集合化実行可能区間がある場合、搬送波集合化技術を採用する末端が複数の区間と通信することができて、この時に、末端がどのようにRNTIを通じて各区間により発送された調達情報を受信するのかまだ確定されていない。
【課題を解決するための手段】
【０００７】
本発明の実施の形態は、一種の末端標識の使用方法、システム和設備を提供したので、搬送波集合化技術を採用する末端に、RNTIを通じて各区間とのデータ送受信を実施させる。
【０００８】
本発明実施の形態により提供された端標識の使用方法は、
ネットワーク側が搬送波集合化の末端に搬送波集合化区間で統一的なRNTI配置を行うことと、
前記ネットワーク側と前記末端が前記搬送波集合化区間で統一に配置された前記RNTIを使用してデータ送受信を行うことを含む。
【０００９】
本発明実施の形態により提供された末端標識の使用システムは、
搬送波集合化の末端に搬送波集合化区間で統一的なRNTI配置を行い、それに前記末端と、前記搬送波集合化区間で前記統一に配置されたRNTIを使用してデータ送受信を行う為のネットワーク側と、
前記ネットワーク側により前記末端に統一に配置されたRNTIを引き受け、それに前記ネットワーク側と、前記搬送波集合化区間で統一に配置された前記RNTIを使用してデータ送受信を行う為の末端を含む。
【００１０】
本発明実施の形態により提供されたネットワーク側設備は、
搬送波集合化末端に搬送波集合化区間で統一的なRNTI配置を行う為の配置モジュールと、
前記末端と一緒に、前記搬送波集合化区間で前記配置モジュールにより統一に配置された前記RNTIを使用してデータ送受信を行う為の送受信モジュールを含む。
【００１１】
本発明実施の形態により提供された末端は、
前記ネットワーク側により前記末端統一に配置されたRNTIを引き受け、それに前記ネットワーク側と一緒に前記搬送波集合化区間で統一に配置された前記RNTIを使用してデータ送受信を行う為の送受信モジュールを含む。
【００１２】
本発明の実施の形態のネットワーク側が搬送波集合化を実行する末端に末端標識を配置し、それにネットワーク側が配置された末端標識によって末端とデータ送受信を行い、これで搬送波集合化技術を採用する末端が統一的なRNTIを通じて各搬送波集合化区間とデータ送受信を実施させる。勿論、本発明の実施の形態を実施する如何なる製品は必ずしも前記のすべての特徴を含むことではない。
【図面の簡単な説明】
【００１３】
【図１】現有技術での物理層チャネル構造指示である。
【図２】本発明の一実施の形態の一種の末端標識の使用方法フローチャートである。
【図３】本発明のもう一実施の形態の一種の末端標識の使用方法フローチャートである。
【図４】本発明のもう一実施の形態での一種の末端標識の使用方法フローチャートである。
【図５】現有技術でのLTEシステムのネットワーク・アーキテクチャの構造見取図である。
【図６】本発明のもう一実施の形態での一種の末端標識の使用方法フローチャートである。
【図７】本発明のもう一実施の形態での一種の末端標識の使用方法フローチャートである。
【図８】本発明実施の形態の中で支持搬送波集合化区間でのUE RNTI配置見取図である。
【図９】本発明実施の形態の一種のネットワーク側設備である。
【図１０】本発明実施の形態の一種の末端である。
【発明を実施するための形態】
【００１４】
現有技術に存在している前記問題を解決する為に、本発明の実施の形態の中で、基地局が搬送波集合化の実行末端に末端標識を配置し、それに前記基地局が前記末端標識によって前記末端との伝送を行う。
【００１５】
次に本発明の添付図に結びついて、本発明の技術的解決策を明らかに且つ完全に述べる。周知の通り、記載された実施の形態は全部の実施の形態ではなく、本発明の一部分の実施の形態しかない、。本発明での実施の形態に基づいて、本分野の技術者により取得されるイノベーションのないすべてのほかの実施の形態が本発明の保護範囲に属する。
【００１６】
本発明の一実施の形態は、一種の末端標識の使用方法を提供し、図2のように、具体に下記の手順を含む。
【００１７】
手順201、ネットワーク側が搬送波集合化UE（User Equipment、ユーザ設備、又は末端と称される）に搬送波集合化区間で統一的なRNTI配置を行う。
【００１８】
手順202、前記ネットワーク側が前記末端と一緒に、前記搬送波集合化区間で前記統一に配置されたRNTIを使用してデータ送受信を行う。
【００１９】
本発明の実施の形態の中で、ネットワーク側が、搬送波集合化末端に末端標識を配置し、それに、ネットワーク側が配置された末端標識によって末端との伝送を行うことによって、搬送波集合化技術を採用するUEにRNTIを通じて各搬送波集合化区間とのデータの送受信を実施させる。
【００２０】
ネットワーク側設備が基地局、eNB及びその他の実体を含み、但し、これらに限定されない、ネットワーク側で搬送波集合化区間に対して統一にRNTIを配置できる設備が全部本発明の保護範囲に属する。本発明実施の形態について、ネットワーク側設備の基地局の例を挙げて説明する。
【００２１】
次に、具体的な応用場面に結びついて、本発明の実施の形態を更に述べる。
【００２２】
本発明の別の実施の形態は、一種の末端標識の使用方法を提供し、当該方法は、接続中のUEが搬送波集合化区間の配置プロセスでどのようにC-RNTI及び/又はSPS C-RNTIを使用するか述べて、図3のように、具体に下記の手順を含む。
【００２３】
手順301、ネットワーク側が末端にRRC接続重配置メッセージを発送し、当該メッセージに搬送波集合化区間的周波数ポイント情報又は周波数ポイント情報索引が携帯され、UEへの搬送波集合化区間配置に使用される。
【００２４】
手順302、末端が搬送波集合化区間配置の為のRRC接続重配置メッセージを受信した後、すでに配置されたC-RNTIを採用してすべての搬送波集合化区間でネットワーク側とのデータ送受信を行う。
【００２５】
本発明の実施の形態の中で、基地局が、搬送波集合化末端に末端標識を配置し、それに、基地局が配置された末端標識によって末端と伝送を行うことによって、搬送波集合化技術を採用するUEにRNTIを通じて各区間とデータの送受信を実施させる。更に説明すべきのは、搬送波集合化システムに更に搬送波集合化区間の活性化プロセスが含まれる可能性があり、即ち、前記配置プロセスを完成した後、末端が必ずしもネットワーク側の搬送波集合化区間とのデータ送受信を実行できることではなく、搬送波集合化区間が活性化されてからこそ、始めて末端が活性化された搬送波集合化区間とのデータ送受信を行える。ネットワーク側が末端に搬送波集合化区間を活性化する方式としては、RRC信号伝達を採用してもいいし、MAC CE等のようなその他の協議層の信号伝達を採用しても良い。搬送波集合化の活性化プロセスが存在する時、末端がネットワーク側の搬送波集合化区間活性化信号伝達を受信した後、すでに配置されたC-RNTIを使用してすべての搬送波集合化区間でネットワーク側とのデータ送受信を行う。
【００２６】
説明すべきのは、SPS C-RNTIの用法がC-RNTIと同じであるが、ただsemi-persistent schedulingという調達方式を使用するUEにSPS C-RNTIを配置することに過ぎない。
【００２７】
本発明の実施の形態の中で、基地局は、搬送波集合化末端に末端標識を配置し、それに、基地局が配置された末端標識によって末端と伝送を行うことによって、搬送波集合化技術を採用するUEにRNTIを通じて各区間とデータの送受信を実施させる。
【００２８】
本発明のもう一実施の形態は、一種の末端標識の使用方法を提供し、当該方法が接続中のUEが競争に基づく無作為な接続を採用することによって、その他の搬送波集合化区間に接続するプロセスを述べた。次に、同時に複数のその他の搬送波集合化区間に接続することを例として説明して、図4のように、具体に下記の手順を含む。
【００２９】
手順401、RRC接続中のUEが、初期C-RNTIが配置されて、複数の搬送波集合化区間に無作為な接続先導列preambleを発送する。
【００３０】
手順402、複数の搬送波集合化区間がそれぞれUEに無作為な接続先導列の呼応メッセージを発送する。
【００３１】
各搬送波集合化区間がUEに無作為な接続先導列の呼応メッセージを発送し、当該メッセージが上り資源の配置情報、定期調整情報、無作為な接続先導列識別番号、各搬送波集合化区間によりUEに配置されたTemporary C-RNTI等を含む。
【００３２】
説明すべきのは、基地局が、複数の搬送波集合化実行可能な区間で同時に無作為な接続を行うUEに異なるTemporary C-RNTIを配置し、各区間で配置されたTemporary C-RNTIが当面システムですでに配置されたRNTIと異なる。
【００３３】
手順403、UEが各搬送波集合化区間のPDCCHでpreambleを発送する時に使用される資源ブロックの相応なRA-RNTIを検知する。
【００３４】
手順404、RA-RNTIが検出された場合、UEがRA-RNTIの相応な無作為な接続呼応メッセージ内容によって配置を行う。
【００３５】
手順405、UEが、無作為な接続呼応メッセージにより指示された上り資源の位置でMsg 3を発送する。Msg 3にC-RNTI MAC制御ユニットが携帯され、ネットワークUEの身分を通知し、競争を解決することに使用される。
【００３６】
手順406、基地局がC-RNTIを採用してUEにMsg3メッセージの呼応-競争解決メッセージを発送する。
【００３７】
手順407、UEがPDCCHにC-RNTIの相応なメッセージがあるかどうか傍受することによって、各搬送波集合化区間で無作為な接続が成功したかどうか判断し、無作為な接続が成功した後、各搬送波集合化区間により彼に配置されたTemporary C-RNTIを捨てて、これからすべての搬送波集合化区間ですべて配置されたC-RNTIを使用してデータ送受信を行う。
【００３８】
本発明の実施の形態の中で、基地局が搬送波集合化末端に末端標識を配置し、それに基地局が配置された末端標識によって末端との伝送を行うことによって、搬送波集合化技術を採用するUEに、RNTIを通じて各区間とデータ送受信を実施させる。
【００３９】
LTEシステムのネットワーク・アーキテクチャは図5で示すようである。LTEシステムネットワーク側実体は、MME（Mobile Management Entity，移動管理実体）/S-GW（Serving Gateway、サービスゲートウェイ）とeNBからなる。eNBとeNBとの間のインターフェイスがX2インターフェイスで、MME/S-GWとeNBとの間のインターフェイスがS1インターフェイスである。LTEネットワークの中で、UEが一つのeNBから別のeNBに移動する時、発生している業務が中断しない為に、転換する必要がある。eNBの間にX2接続が存在する場合、X2インターフェイスを通じて転換を完成できる。eNBの間にX2インターフェイスがない場合、S1インターフェイスを通じて完成できる。
【００４０】
本発明のもう一つの実施の形態では一種の末端標識の使用方法を提供し、当該方法で、ソースeNBと目標eNBがX2インターフェイスを通じて転換を完成するプロセスが述べられ、図6で示すように、具体に下記の手順を含む。
【００４１】
手順601、ソースeNBがUEにより報告された測定報告とRRM（Radio Resource Management、無線資源管理）情報に基づいて、UE転換が必要だと判断する。
【００４２】
手順602、ソースeNBが目標eNBに転換請求メッセージを発送する。
【００４３】
ソースeNBが目標eNBに転換請求メッセージを発送し、当該転換請求情報の中で、UEが目標eNBへの転換準備に必要な情報が付けられ、例えば、UEのソースeNBでのcontext情報、目標cell ID等。
【００４４】
手順603、目標eNBがソースeNBに転換請求呼応メッセージを発送する。
【００４５】
転換UEにより使用される資源が目標eNBで批准される場合、目標区間が当該UEに相応な資源を配置し、それに、ソースeNBに転換請求呼応メッセージを発送する。転換請求呼応メッセージがUEの目標eNBへの転換に必要なパラメーター情報で、例えば、目標eNBによりUEに配置されたRNTI、目標eNBのシステム情報、 UEが目標eNBで無作為な接続を行う時のpreamble情報等。
【００４６】
この時、目標eNBがUEよち配置されら搬送波集合化区間となる場合、UEがすべての搬送波集合化区間で同じC-RNTI、SPS C-RNTIを使用し、それにTPC-PUSCH-RNTI和TPC-PUCCH-RNTIを使用して伝送工率制御を行うので、当該転換請求呼応メッセージが目標eNBによりUEに配置されたC-RNTI、SPS C-RNTI、TPC-PUSCH-RNTI、TPC-PUCCH-RNTI及び搬送波集合化区間の周波数ポイント情報又は周波数ポイント情報索引を含む。UEがすべての搬送波集合化区間で同じC-RNTI、SPS C-RNTI（TPC-RNTI）を使用してデータ送受信を行うので、一つのC-RNTI（とSPS C-RNTI）を携帯するだけで済む。異なる搬送波集合化区間で同じ又は各自のTPC-PUSCH-RNTIとTPC-PUCCH-RNTIが使用できるので、TPC-PUSCH-RNTI和TPC-PUCCH-RNTIの携帯数量が具体状況に従う。搬送波集合化区間で同じTPC-PUSCH-RNTIとTPC-PUCCH-RNTIを使用すれば、一つのTPC-PUSCH-RNTIとTPC-PUCCH-RNTIを携帯するだけで済む。搬送波集合化区間で全部異なるTPC-PUSCH-RNTIとTPC-PUCCH-RNTIを使用すれば、各搬送波集合化区間の相応なTPC-PUSCH-RNTIとTPC-PUCCH-RNTIを携帯する必要がある。転換請求呼応メッセージにSPS C-RNTI、TPC-PUSCH-RNTIとTPC-PUCCH-RNTIが含まれるかどうかは具体状況次第である。目標eNBがUEにセミ持続的な資源を配置しないと、SPS C-RNTIを携帯しない。TPC-PUSCH-RNTIとTPC-PUCCH-RNTIが、UEが転換目標区間に入った後、専用信号伝達を通じて発送されることもできる。
【００４７】
手順604、ソースeNBがUEに転換命令を発送する。
【００４８】
ソースeNBが目標eNBにより発送された転換請求呼応メッセージを受けた後、UE転換命令を発送し、UEに目標eNBに転換するよう指示する。ソースeNBによりUEに発送された転換命令が目標eNBによりソースeNBへ発送された転換請求呼応メッセージに含まれる。転換命令に手順603での前記UEの目標eNBへの転換時に必要なラメーター情報が含まれる。
【００４９】
手順605、UEが転換命令を受けた後、目標eNBとの同期化を執行する。
【００５０】
手順606、UEが成功に目標区間に接続した後、UEが転換完成メッセージを発送し、目標eNBにUE転換プロセスの完成に関する指示を出す。
【００５１】
説明すべきのは、S1インターフェイスを通じる転換プロセスがX2インターフェイスを通じる転換プロセスと類似するが、ただソースeNBと目標eNBとの間の伝送がMMEと通じなければならないことにすぎない。ここで余分に述べない。
【００５２】
本発明の実施の形態の中で、基地局が搬送波集合化末端に末端標識を配置し、それに、基地局が配置された末端標識によって末端と伝送を行うことによって、搬送波集合化技術を採用するUEに、RNTIを通じて各区間とデータ送受信を実施させる。
【００５３】
本発明のもう一つの実施の形態では、一種の末端標識の使用方法を提供して、図7のように、具体に下記の手順を含む。
【００５４】
手順701、UEが搬送波集合化可能な各区間で、PDCCHのある搬送波にPDCCHを傍受し、それに同じC-RNTI、SPS C-RNTIを使用して調達情報を受信する。
【００５５】
図8は、搬送波集合化支持区間でのUE RNTI配置見取図である。各UEが集合化搬送波の相応な区間で同じC-RNTI、SPS C-RNTIを使用し、例えば、UE2がその搬送波集合化区間2と区間3でC-RNTIが皆0011で、SPS C-RNTIが皆0019であることを図８から分かった。
【００５６】
手順702、UEがC-RNTIの相応なDCIで携帯された調達情報によって、相応な時間・頻度資源でデータの引受又は発送を行う。
【００５７】
本発明の実施の形態の中では、基地局が搬送波集合化の末端に末端標識を配置し、それに、基地局が配置された末端標識によって末端と伝送を行うことによって、搬送波集合化技術を採用するUEに、RNTIを通じて各区間とのデータ送受信を実施させる。
【００５８】
本発明実施の形態は、一種のUE標識の使用システムを提供し、
搬送波集合化のUEに搬送波集合化区間で統一的なRNTI配置を行い、それにUEとが搬送波集合化区間で統一に配置されたRNTIを使用してデータ送受信を行う為のネットワーク側と、
ネットワーク側によりUEに統一に配置されたRNTIを引き受け、それにネットワーク側と一緒に搬送波集合化区間で統一に配置されたRNTIを使用してデータ送受信を行う為のUEが含まれる。
【００５９】
本発明実施の形態は一種のネットワーク側設備90を提供し、図9のように、
搬送波集合化のUEに搬送波集合化区間で統一的なRNTI配置を行う為の配置モジュール91と、
UEと一緒に搬送波集合化区間で配置モジュール91により統一に配置されたRNTIを使用してデータ送受信を行う為の送受信モジュール92が含まれる。
【００６０】
統一的なRNTI配置を行うことは、
搬送波集合化区間間でRNTI資源を共有することを含む。
【００６１】
配置モジュール91は、
ネットワーク側で搬送波集合化区間でUEに統一にC-RNTI、及び/又はSPS C-RNTI、及び/又はTPC-PUSCH-RNTI、及び/又はTPC-PUCCH-RNTIを配置することに使用される。
【００６２】
下記のことを含み、即ち、
ネットワーク側が異なる搬送波集合化区間でUEに同じC-RNTIを配置し、配置されたC-RNTIがネットワーク側によりすでに配置されたRNTIと異なり、及び/又はネットワーク側が異なる搬送波集合化区間でUEに同じSPS C-RNTIを配置し、配置されたSPS C-RNTIがネットワーク側によりすでに配置されたRNTIと異なることを含む。
【００６３】
下記のことも含み、即ち、
ネットワーク側が異なる搬送波集合化区間でUEに同じ又は異なるTPC-PUSCH-RNTIを配置し、置されたTPC-PUSCH-RNTIがネットワーク側によりすでに配置されたRNTIと異なり、及び/又はネットワーク側が異なる搬送波集合化区間でUEに同じ又は異なるTPC-PUCCH-RNTIを配置し、配置されたTPC-PUCCH-RNTIがネットワーク側によりすでに配置されたRNTIと異なることを含む。
【００６４】
複数の搬送波集合化区間に同時に無作為な接続がある場合、配置モジュール91も、
各搬送波集合化区間で同時に無作為な接続を行うUEに異なるTemporary C-RNTIを配置し、配置されたTemporary C-RNTIがネットワーク側によりすでに配置されたRNTIと異なることに使用される。
【００６５】
送受信モジュール92は、
ネットワーク側が異なる搬送波集合化区間で同じC-RNTI及び/又はSPS C-RNTIを使用してUEとデータ送受信を行うことに使用される。
【００６６】
送受信モジュール92も、
ネットワーク側がすべての搬送波集合化区間で配置されたTPC-PUSCH-RNTI和TPC-PUCCH-RNTIを使用してUEに工率制御情報を発送する。
【００６７】
下記を含み、即ち、
ネットワーク側が搬送波集合化を配置する時にUEに新しいC-RNTI及び/又はSPS C-RNTIを配置せず、それに/又は、ネットワーク側が搬送波集合化を配置・活性化する時に、UEに新しいC-RNTI及び/又はSPS C-RNTIを配置せず、それに、
UEとネットワーク側がすでに配置されたC-RNTI及び/又はSPS C-RNTIを使用してすべての搬送波集合化区間でデータ送受信及び/又は引受を行うことを含む。
【００６８】
UEがネットワーク側初期ノードからネットワーク側目標ノードへ転換する時に、下記を含み、即ち、
ネットワーク側目標ノードによりネットワーク側初期ノードに発送された転換請求呼応メッセージの中で、ネットワーク側目標ノードによりUEに配置されたRNTI及び搬送波集合化関連その他の区間の周波数ポイント情報又は周波数ポイント情報索引が含まれることと、
ネットワーク側初期ノードによりUEに発送された転換命令メッセージの中で、ネットワーク側目標ノードによりUEに配置されたRNTI及び搬送波集合化関連その他の区間の周波数ポイント情報又は周波数ポイント情報索引が含まれることを含む。
【００６９】
ネットワーク側目標ノードによりUEに配置されたRNTIが下記を含み、即ち、
ネットワーク側目標ノードによりUEに配置された唯一のC-RNTI及び/又はSPS C-RNTIを含む。
【００７０】
UEがRRC接続中にある時、下記の含み、即ち、
UEが搬送波集合化区間に無作為な接続を行い、競争を解決した後、UEがUEにより配置されたC-RNTIを使用してデータ引受/発送を行い、搬送波集合化区間配置されたTemporary C-RNTIを捨てることを含む。
【００７１】
本発明実施の形態は一種のUE 100を提供し、図10のように、
ネットワーク側によりUEに統一に配置されたRNTIを引き受け、それにネットワーク側と一緒に搬送波集合化区間で統一に配置されたRNTIを使用してデータ送受信を行う為の送受信モジュール101を含む。
【００７２】
下記を含む、即ち、
UEが搬送波集合化区間でPDCCHの搬送波の上に、PDCCHを傍受し、それに同じC-RNTI及び/又はSPS C-RNTIを使用して調達情報を受信する。
【００７３】
下記を含む、即ち、
UEが搬送波集合化区間でPDCCHの搬送波の上に、PDCCHを傍受し、それに、配置されたTPC-PUSCH-RNTI及び/又はTPC-PUCCH-RNTIを使用して伝送工率制御情報を受信する。
【００７４】
本発明の実施の形態の中で、ネットワーク側が搬送波集合化末端に末端標識を配置し、それにネットワーク側が配置された末端標識によって末端との伝送を行うことによって、搬送波集合化技術を採用するUEに、RNTIを通じて各区間とデータ送受信を実施させる。勿論、本発明の実施の形態を実施する如何なる製品は必ずしも前記のすべての特徴を持つことではない。
【００７５】
説明すべきのは、本発明の上述実施の形態は、UEを例としてRNTIの使用方式を述べたが、本分野技術者が理解すべきこととしては、その他の末端、例えば、機器型通信末端も本発明の保護範囲に属することである。
【００７６】
また説明すべきのは、本発明の上述実施の形態でRNTIの使用方式を例として述べたが、本分野の技術者が理解すべきこととしては、その他のシステム又は標準の中で、本発明実施の形態でのRNTIと同じ又は相似する機能又は役割を持つ標識も本発明の保護範囲に属することである。
【００７７】
前記の実施方式の説明を通じて、本分野の技術者は、ソフトの上に必要な通用ハードウエアのプラットフォームを加える方式で本発明を実現することができることをはっきり理解できる。勿論、ハードウエアを通じても実現できるが、多くの状況の下で前者はより良い実施方式である。このような理解に基づいて、本発明の技術方案や現有技術の中に成果が収められた部分をソフト製品という形で表れることができて、当該ソフトウェア製品を記憶媒体（携帯電話、PC、サーバー又はネットワーク設備等）に記憶することができて一台のコンピューター設備（携帯電話、PC、サーバー、ネットワーク設備など）に本発明各実施の形態の前記方法を執行させる若干の指令を含む。
【００７８】
前記は本発明のよりよい実施方式である。しかし、ここで説明を要るのは、本技術分野の普通の技術者が、本発明原理に基づいて、方法を改善・修飾することができるが、その改善と修飾も本発明の保護範囲以内に属することである。
【図１】
2013502114.tif 000003
【図２】
2013502114.tif 000004
【図３】
2013502114.tif 000005
【図４】
2013502114.tif 000006
【図５】
2013502114.tif 000007
【図６】
2013502114.tif 000008
【図７】
2013502114.tif 000009
【図８】
2013502114.tif 000010
【図９】
2013502114.tif 000011
【図１０】
2013502114.tif 000012
【国際調査報告】
2013502114.tif 000013
2013502114.tif 000014
2013502114.tif 000015
2013502114.tif 000016